(57)【要約】      （修正有）【課題】取付ネジが目立たないカバーの取付構造を備え、カバーの着脱を容易に行うことができる表示装置を提供する。【解決手段】本体筐体を一対の広い面と４つの周側面とで構成し、本体筐体は、フロントカバー１１０とバックカバー１２０と支持手段とを含んで構成され、支持手段は、第１支持部と第２支持部１２３と固定部とを含んで構成され、２つの支持部の一方は、広い面に沿って２つの支持部の他方を移動させる支持レールを備え、フロントカバー１１０は、支持レールと直交する方向に配置された一対の周側面を備え、バックカバー１２０は、支持レールと平行な方向に配置された一対の周側面を備え、固定部は、支持レールの終端部で２つのカバー１１０、１２０を固定し、かつ支持レールと直交する方向に配置された一対の周側面の一方に設けられるようにする。【選択図】図２
2010233138.tif 000002
【特許請求の範囲】
【請求項１】
一対の広い面と、この一対の広い面の間に配置される４つの周側面とから構成される本体筐体と、この本体筐体の内部に配置される表示ユニットとを備えた表示装置において、
前記本体筐体は、前記広い面の一方を備えたフロントカバーと、前記広い面の他方を備えたバックカバーと、前記フロントカバーと前記バックカバーを固定する支持手段とを含んで構成され、
前記支持手段は、前記フロントカバーに設けられる第１支持部と、前記バックカバーに設けられる第２支持部と、前記周側面の１つに設けられる固定部とを含んで構成され、
前記２つの支持部の一方は、前記フロントカバーの広い面に沿って前記２つの支持部の他方を移動させる支持レールを備え、
前記フロントカバーは、前記支持レールと直交する方向に配置された一対の前記周側面を備え、
前記バックカバーは、前記支持レールと平行な方向に配置された一対の前記周側面を備え、
前記固定部は、前記支持レールの終端部で前記フロントカバーと前記バックカバーとを固定し、かつ前記支持レールと直交する方向に配置された一対の前記周側面の一方に設けられる
ことを特徴とする表示装置。
【請求項２】
一対の広い面と、この一対の広い面の間に配置される４つの周側面とから構成される本体筐体と、この本体筐体の内部に配置される表示ユニットとを備えた表示装置において、
前記本体筐体は、高さ方向より幅方向が大きい長方形の外観形状を備えるとともに、前記広い面の一方を備えたフロントカバーと、前記広い面の他方を備えたバックカバーと、前記フロントカバーと前記バックカバーを固定する支持手段とを含んで構成され、
前記フロントカバーは、前記本体筐体の幅方向に対して平行に設けられ、前記本体筐体の上面と下面を構成する一対の前記周側面を備え、
前記バックカバーは、前記本体筐体の幅方向に対して垂直に設けられ、前記本体筐体の左右側面を構成する一対の前記周側面を備え、
前記支持手段は、前記フロントカバーに設けられる第１支持部と、前記バックカバーに設けられる第２支持部と、前記周側面の１つに設けられる固定部とを含んで構成され、かつ前記本体筐体の高さ方向に沿って前記バックカバーを移動させる支持レールを備え、
前記支持レールは、前記バックカバーを支持する終端部を備え、
前記固定部は、前記本体筐体の上面と下面を構成する一対の前記周側面の一方に設けられ、前記バックカバーが前記終端部で支持された状態で前記フロントカバーと前記バックカバーを固定する
ことを特徴とする表示装置。
【請求項３】
請求項１または２に記載の表示装置において、
前記支持レールは、前記第２支持部の背面に形成され、前記第１支持部との接触面を介して前記バックカバーを移動させる
ことを特徴とする表示装置。
【請求項４】
請求項１または２に記載の表示装置において、
前記フロントカバーは、前記支持レールと平行な方向に形成された一対の第１嵌合部を備え、
前記バックカバーは、前記支持レールと直交する方向に形成された一対の第２嵌合部を備え、
前記フロントカバーと前記バックカバーは、前記支持レールと平行な方向に配置された一対の前記周側面と一対の前記第１嵌合部、前記支持レールと垂直な方向に配置された一対の前記周側面と一対の前記第２嵌合部がそれぞれ嵌合するように前記支持手段を介して固定される
ことを特徴とする表示装置。
【請求項５】
請求項１から３の何れかに記載の表示装置において、
前記表示ユニットは、表示パネルと、この表示パネルを前面で支持するメインフレームとを備え、
前記メインフレームは、前面と上面と下面が覆われるように前記フロントカバーに取り付けられるとともに、前記第２支持部を介して前記バックカバーを支持する前記第１支持部を背面に備える
ことを特徴とする表示装置。
【請求項６】
請求項４に記載の表示装置において、
前記第１支持部は、複数の嵌合溝で構成され、
前記第２支持部は、前記バックカバーの裏面から突出して設けられた複数の引掛部で構成され、
前記固定部は、取付ネジで構成され、
前記バックカバーは、前記複数の嵌合溝に前記複数の引掛部を挿入し、前記支持レールを介して前記本体筐体の下面の方向へスライドさせることにより前記終端部で支持され、かつ前記取付ネジで固定される
ことを特徴とする表示装置。
【発明の詳細な説明】
【技術分野】
【０００１】
本発明は、液晶ディスプレイや有機ＥＬなどの低消費タイプの表示装置に係り、特に、設置場所に合わせて、多様なニーズに対応することができる外観構造を備えた薄型の表示装置に関するものである。
【背景技術】
【０００２】
近年、液晶ディスプレイやプラズマディスプレイなどの薄型表示装置が脚光を浴びている。特に、テレビジョン受像機では、４０インチ前後の大型画面を有する薄型テレビの需要が高まっている。これら大型の薄型テレビは、その画面が大きいことから、部屋内に占める面積も大きく、また高額商品であることから、高級感の演出やインテリアにマッチするように様々な工夫が施されている。
【０００３】
このような薄型表示装置においては、薄型化に伴い、例えば、図１５（ａ）で示すように、テレビジョン受像機１０００が従来のように部屋の四隅に配置されるだけでなく、例えば、専用のスタンドを使用して部屋の中央に配置したり、スタンドを取り外して壁面に取り付けられたりするようになっている。特に、部屋の中央に配置されるような場合には、正面のデザインだけでなく、背面のデザインにも注目されるので、正面及び背面を含め、表示装置が室内のインテリアに合わせて多様なデザインに対応できる外観構造であることが望ましい。
【０００４】
一方、多様なデザインに対応できる外観構造を備えた機器として、例えば、折り畳み式携帯電話機等の小型情報端末や、ＰＣ用ディスプレイ等の小型表示装置が知られている。このような小型情報端末や小型表示装置においては、本体筐体の外表面に着脱可能なパネルを設け、この着脱可能なパネルと筐体との間にシート材を挿入したり、あるいは図柄を施したパネルと交換することにより、多様なデザインに対応できることが知られている。
【先行技術文献】
【特許文献】
【０００５】
【特許文献１】特開２００１−１００６５０号公報
【特許文献２】特開２００４−８０３９１号公報
【発明の概要】
【発明が解決しようとする課題】
【０００６】
上記従来例においては、通常の使用時においてユーザーが最も注目する部分、即ち、正面のみ多様なデザインに対応できるようになっている。例えば、折り畳み式携帯電話機においては、折り畳んだ状態で正面となるサブ表示部の配置面にパネル部材がガイド部（溝部）を介して着脱可能に設けられ、サブ表示部の配置面とパネル部材との間にシート部材を挿入したり、図柄が施されたパネル部材に交換することにより、サブ表示部の配置面のデザインを変更できるようになっている。
【０００７】
また、ＰＣ用ディスプレイにおいては、筐体前面に光透過性枠体を爪部を介して着脱可能に設け、筐体前面と光透過性枠体との間にデザインシートを挿入することで、正面のデザインを変更できるようになっている。
【０００８】
このように、上記従来例においては、正面に配置されるパネル部材や枠体を着脱可能な構成とすることで、正面のデザインを多様に変更させることができるようになっている。
【０００９】
一方、近年の薄型テレビジョン受像機においては、多様なレイアウト（レイアウトフリー）に対応できるようにするため、本体正面だけでなく本体背面もデザインされるようになってきている。例えば、図１５（ａ）で示すように、テレビジョン受像機を部屋の中央に配置するような場合には、上述したように、本体正面だけでなく本体背面にも注目されるので、本体背面のデザインが重要になってくる。
【００１０】
従来のテレビジョン受像機においては、本体正面（本体前面）を構成するフロントカバーと本体背面を構成するバックカバーとを、背面から取付ネジで取り付ける構成が主流となっており、取付ネジが本体背面に露出するようになっている。このような従来のテレビジョン受像機は、例えば、図１５（ａ）で示すように、部屋の四隅に配置されることが多く、壁面により本体背面が隠されるので、本体背面に取付ネジが露出していても特に問題は生じていなかった。
【００１１】
しかしながら、例えば、図１５（ａ）で示すように、専用のスタンドを使用してテレビジョン受像機を部屋の中央に配置するような場合には、本体背面の取付ネジが見えてしまい、意匠上、好ましくはない。取付ネジを目立たないようにするには、フロントカバーとバックカバーとの取り付けを、例えば、本体背面に取付ネジが露出しない取付構造や本体底面などの目立たない位置でネジ止めする構造、取付ネジを極力使用しない構造や取付ネジを隠す構造などが考えられる。
【００１２】
一方、従来のテレビジョン受像機においては、構造上、フロントカバーとバックカバーとを本体背面で多数の取付ネジによりネジ止めせざるを得ず、本体背面に取付ネジが露出しないようなバックカバーの取付構造や、取付ネジを減らしたり隠したりする取付構造を実現するのは困難となっている。
【００１３】
また、上述したように、テレビジョン受像機においても、レイアウトの多様化に伴い、多様なニーズに対応できる外観構造を有することが望ましい。多様なニーズに対応できる外観構造としては、上述した小型情報端末や小型表示装置のように、パネルの交換が可能な外観構造、例えば、バックカバーの交換が可能な外観構造とすることが考えられる。
【００１４】
しかしながら、従来のテレビジョン受像機においては、上述したように、フロントカバーとバックカバーの取り付けに多くのネジを使用することが主流となっており、例えば、バックカバーを取り外して交換するような場合には、フロントカバーとバックカバーとを固定する多数の取付ネジを一本ずつ取り外さなければならず、バックカバーの取り外しおよび取り付けに手間がかかってしまう。このため、従来のテレビジョン受像機においては、バックカバーの交換により多様なデザインに対応させることは困難となっている。
【００１５】
そこで、この発明の目的とするところは、取付ネジが目立たないフロントカバーとバックカバーとの取付構造を実現すると共に、バックカバーの着脱を容易に行うことができる表示装置を提供することにある。
【課題を解決するための手段】
【００１６】
前記目的を達成するために、本発明に係る表示装置は、一対の広い面と、この一対の広い面の間に配置される４つの周側面とから構成される本体筐体と、この本体筐体の内部に配置される表示ユニットとを備えた表示装置において、前記本体筐体は、前記広い面の一方を備えたフロントカバーと、前記広い面の他方を備えたバックカバーと、前記フロントカバーと前記バックカバーを固定する支持手段とを含んで構成され、前記支持手段は、前記フロントカバーに設けられる第１支持部と、前記バックカバーに設けられる第２支持部と、前記周側面の１つに設けられる固定部とを含んで構成され、前記２つの支持部の一方は、前記広い面に沿って前記２つの支持部の他方を移動させる支持レールを備え、前記フロントカバーは、前記支持レールと直交する方向に配置された一対の前記周側面を備え、前記バックカバーは、前記支持レールと平行な方向に配置された一対の前記周側面を備え、前記固定部は、前記支持レールの終端部で前記フロントカバーと前記バックカバーとを固定し、かつ前記支持レールと直交する方向に配置された一対の前記周側面の一方に設けられるようにする。
【００１７】
また、前記目的を達成するために、本発明に係る表示装置は、一対の広い面と、この一対の広い面の間に配置される４つの周側面とから構成される本体筐体と、この本体筐体の内部に配置される表示ユニットとを備えた表示装置において、前記本体筐体は、高さ方向より幅方向が大きい長方形の外観形状を備えるとともに、前記広い面の一方を備えたフロントカバーと、前記広い面の他方を備えたバックカバーと、前記フロントカバーと前記バックカバーを固定する支持手段とを含んで構成され、前記フロントカバーは、前記本体筐体の幅方向に対して平行に設けられ、前記本体筐体の上面と下面を構成する一対の前記周側面を備え、前記バックカバーは、前記本体筐体の幅方向に対して垂直に設けられ、前記本体筐体の左右側面を構成する一対の前記周側面を備え、前記支持手段は、前記フロントカバーに設けられる第１支持部と、前記バックカバーに設けられる第２支持部と、前記周側面の１つに設けられる固定部とを含んで構成され、かつ前記本体筐体の高さ方向に沿って前記バックカバーを移動させる支持レールを備え、前記支持レールは、前記バックカバーを支持する終端部を備え、前記固定部は、前記本体筐体の上面と下面を構成する一対の前記周側面の一方に設けられ、前記バックカバーが前記終端部で支持された状態で前記フロントカバーと前記バックカバーを固定するようにする。
【発明の効果】
【００１８】
本発明によれば、取付ネジが目立たないフロントカバーとバックカバーとの取付構造を実現すると共に、バックカバーの着脱を容易に行うことができる表示装置を実現することができる。
【図面の簡単な説明】
【００１９】
【図１】第１実施例に係るテレビジョン受像機の概略構成を示す図である。
【図２】テレビジョン受像機の部品展開図である。
【図３】本体筐体を構成する２つのカバーの部分拡大図である。
【図４】第１実施例に係るフロントカバーとバックカバーの取付構造を示す概略図である。
【図５】バックカバーの取付構造の一例を示す図である。
【図６】バックカバーの取付構造の一例を示す断面図である。
【図７】テレビジョン受像機の外観図である。
【図８】第１実施例に係るテレビジョン受像機の配線構造を示す図である。
【図９】制御装置を縦置きしたときの外観図である。
【図１０】制御装置を横置きしたときの外観図である。
【図１１】リモコンの外観図である。
【図１２】第２実施例に係るフロントカバーとバックカバーの取付構造を示す概略図である。
【図１３】第３実施例に係るテレビジョン受像機の外観図である。
【図１４】第３実施例に係るテレビジョン受像機の配線構造を示す図である。
【図１５】テレビジョン受像機の設置状態を示す図である。
【発明を実施するための形態】
【００２０】
以下、図１から図１５を参照し、この発明に係る表示装置について、テレビジョン受像機を事例として具体的に説明する。ここで、図１から図１１が第１実施例に係るテレビジョン受像機、図１２は第２実施例に係るテレビジョン受像機、図１３および図１４が第３実施例に係るテレビジョン受像機、図１５がテレビジョン受像機の設置状態を示している。また、説明に当たっては、同一部位や同一矢印、同一機能部材などについては、同一符号を持って示し、重複した説明を省略する。
【実施例１】
【００２１】
図１から図１１を参照して、本発明に係るテレビジョン受像機の第１実施例を説明する。まず、図１を参照して、本発明に係るテレビジョン受像機の概略構成を説明する。図１は、テレビジョン受像機の概略構成を示す図である。
【００２２】
図１において、符号１で総括的に示すテレビジョン受像機は、モニタ装置１０とこのモニタ装置１０とケーブル３０を介して接続された制御装置２０と、モニタ装置１０と制御装置２０を操作するリモートコントローラ４０（以下、リモコン４０）とから構成される。
【００２３】
モニタ装置１０は、内部に表示ユニットを備えた本体筐体１００と、この本体筐体１００を下方より支持する卓上型スタンド２００とから構成される。
【００２４】
卓上型スタンド２００は、本体筐体１００に対して着脱可能に取り付けられており、例えば、図１５（ｂ）で示すように、本体筐体１００に卓上型スタンド２００を取り付けた状態では、テレビ台を使用して壁面に寄せて設置することができ、卓上型スタンド２００を取り外した状態では、取付金具等を介して本体筐体１００を壁面等に取り付けることができる。
【００２５】
本体筐体１００は、正面に配置された表示画面１５０と、表示画面１５０の下方に配置されたスピーカ部１６０とを備えている。また、本体筐体１００は、底面等の目立たない部分に図示しない電源ボタンが設けられており、この電源ボタンを操作することにより、本体筐体１００の電源のオンオフを行うことができる。
【００２６】
制御装置２０は、制御装置本体２１とこの制御装置本体２１を保持するスタンド２２とから構成される。制御装置本体２１は、内部にチューナーを備えるとともに、ＤＶＤレコーダーやＶＴＲ等の外部機器、ＨＤＤやＵＳＢメモリ等の外部記録媒体が接続できるようになっている。そして、リモコン４０からの操作指示に基づいて、チューナーにより受信した映像情報や音声情報、外部機器で再生された映像情報や音声情報、外部記録媒体に記録された映像情報や音声情報などを、ケーブル３０を介してモニタ装置１０に伝送することで、表示画面１５０に映像を表示するとともに、スピーカ部１６０から音声を出力するようになっている。また、スタンド２２は、制御装置本体２１に対して着脱可能に取り付けられている。
【００２７】
リモコン４０は、リモートコントローラ本体４１（以下、リモコン本体４１）とこのリモコン本体４１を支持するスタンド４２とから構成される。スタンド４２は、リモコン本体４１に対して着脱可能に設けられており、例えば、スタンド４２を取り付けた状態では、卓上等に設置した状態で操作することができ、スタンド４２を取り外した状態では、リモコン本体４１を手で保持して操作することができるようになっている。
【００２８】
このように、この実施例では、テレビジョン受像機を、映像表示と音声出力をメイン機能とするモニタ装置１０と、映像情報や音声情報の受信、再生をメイン機能とする制御装置２０とに分離した構成とすることにより、モニタ装置１０を薄くすることができる。しかも、通常ではモニタ装置１０に接続される外部機器を、制御装置２０に集中配置することができるので、モニタ装置１０に接続されるケーブルの本数を少なくすることができ、テレビジョン受像機の外観を配線の少ないすっきりしたデザインとすることができる。
【００２９】
なお、この実施例では、ケーブル３０を介してモニタ装置１０と制御装置２０とを接続しているが、これに限定されるものではない。例えば、無線や赤外線を利用した別設の無線通信装置により、モニタ装置１０と制御装置２０とを接続しても良い。この無線通信装置を使用することにより、モニタ装置１０と制御装置２０とを接続するケーブル３０が不要となるので、モニタ装置１０の背面を更にすっきりしたデザインとすることができる。
【００３０】
次に、図２から図４を参照して、テレビジョン受像機の詳細構成について説明する。図２は、テレビジョン受像機の部品展開図である。図３は、本体筐体を構成する２つのカバーの部分拡大図であり、図３（ａ）は上面から見た部分拡大図、図３（ｂ）は下方から見た部分拡大図、図３（ｃ）は２つのカバーを組み合わせた状態の部分拡大図である。図４は、第１実施例に係るフロントカバーとバックカバーの取付構造を示す概略図であり、図４（ａ）がカバー組み合わせ前の部分縦断面図、図４（ｂ）がカバー組み合わせ前の部分横断面図、図４（ｃ）がカバー組み合わせ後の部分縦断面図、図４（ｄ）がカバー組み立て後の部分横断面図である。
【００３１】
図２において、上述したように、モニタ装置１０は、内部に表示ユニット１３０を備えた本体筐体１００と、この本体筐体１００を下方より支持する卓上型スタンド２００とから構成される。
【００３２】
本体筐体１００は、本体筐体１００の前面と背面を構成する一対の広い面と、この一対の広い面の間に配置される４つの周側面とから構成されている。この実施例では、一対の広い面の一方が本体筐体１００の前面を構成するフロントパネル１１１、一対の広い面の他方が本体筐体１００の背面を構成するバックパネル１２１としている。また、４つの周側面は、表示ユニット１３０の上方に位置する上面パネル１１２と、下方に位置する下面パネル１１３と、表示ユニット１３０の左右側方に位置する一対の側面パネル１２２とから構成されている。
【００３３】
フロントパネル１１１と上面パネル１１２と下面パネル１１３は、本体筐体１００の前面と上面と下面を構成するフロントカバー１１０を形成し、バックパネル１２１と一対の側面パネル１２２は、本体筐体１００の背面と左右側面を構成するバックカバー１２０を形成している。
【００３４】
この実施例では、一例として、フロントカバー１１０およびバックカバー１２０を、樹脂成型により一体形成している。具体的には、フロントパネル１１０と上面パネル１１１と下面パネル１１２とを、側面から見て「コ字状」の外観形状となるように樹脂成型により一体形成し、バックパネル１２１と一対の側面パネル１２２とを、上面から見て「コ字状」の外観形状となるように樹脂形成により一体形成している。
【００３５】
そして、この実施例に係るテレビジョン受像機は、側面から見て「コ字状」の外観形状を備えたフロントカバー１１０と、上面から見て「コ字状」の外観形状を備えたバックカバー１２０とを組み合わせることにより、本体筐体１００を構成した形態に大きな特徴を有している。
【００３６】
具体的には、図３（ａ）および図３（ｂ）で示すように、「コ字状」の外観形状を備えたフロントカバー１１０が、その左右両端部に形成された第１嵌合部１１５を備え、「コ字状」の外観形状を備えたバックカバー１２０が、その上端部に形成された第２嵌合部１２５と下端部に形成された第３嵌合部１２６とを備え、一対の側面パネル１２２と第１嵌合部１１５、第２嵌合部１２５と上面パネル１１２、第３嵌合部１２６と下面パネル１１３がそれぞれ嵌合するように、フロントカバー１１０とバックカバー１２０を組み合わせて固定することで、図３（ｃ）で示すように、本体筐体１００が構成されている。
【００３７】
このような構成とすることにより、「コ字状」のフロントカバー１１０が本体筐体１００の縦方向（上面、前面、底面）を覆い、「コ字状」のバックカバー１２０が本体筐体１００の横方向（背面と左右側面）を覆うので、本体筐体の前方を構成するフロントカバーの背面と本体筐体の後方を構成するバックカバーの前面とをつき合わせるようにして表示ユニットを覆う構成からなる従来の薄型表示装置と比べ、本体筐体１００の厚さを薄くすることができる。
【００３８】
次に、図４を参照して、フロントカバーとバックカバーの取付構造の概略構成について説明する。図４において、フロントカバー１１０は、裏面に設けられた第１支持部１３５を備え、バックカバー１２０は、裏面に設けられた第２支持部１２３を備えている。第１支持部１３５は、第２支持部１２３が嵌合する嵌合穴１３８を備えており、この嵌合穴１３８に第２支持部１２３を嵌合させることで、バックカバー１２０がフロントカバー１１０に取り付けられるようになっている。
【００３９】
具体的には、図４（ａ）および図４（ｂ）で示すように、バックカバー１２０を矢印Ａ１方向に移動させた後に、バックカバー１２０を矢印Ａ２方向へスライドさせることで、図４（ｃ）および図４（ｄ）で示すように、第１支持部１３５と第２支持部１２３が嵌合穴１３８を介して嵌合し、バックカバー１２０がフロントカバー１１０に取り付けられるようになっている。
【００４０】
ここで、バックカバー１２０は、第１支持部１３５と第２支持部１２３との接触面、即ち、第１支持部１３５に設けられた嵌合穴１３８の背面と第２支持部１２３の背面が接触することにより、第２支持部１２３の背面がバックカバー１２０を摺動（スライド）させる支持レール１２３ａを構成する。この支持レール１２３ａに沿ってバックカバー１２０を矢印Ａ２方向へスライドさせることにより、第１支持部１３５と第２支持部１２３とが嵌合し、支持レール１２３ａの終端部１２３ｂでフロントカバー１１０とバックカバー１２０が取り付けられるようになっている。
【００４１】
そして、バックカバー１２０がフロントカバー１１０に取り付けられた状態で、例えば、本体筐体１００の底面に設けられた固定部、例えば、取付ネジ１７０により、フロントカバー１１０とバックカバー１２０が本体筐体１００の下面（底面）で固定されるようになっている。
【００４２】
一方、バックカバー１２０を取り外す場合は、取付ネジ１７０を取り外し、バックカバー１２０を支持レール１２３ａを介して矢印Ａ３方向へスライドさせることにより、第１支持部１３５と第２支持部１２３との嵌合を外し、バックカバー１２０を矢印Ａ４方向へ移動させることで、フロントカバー１１０から取り外すことができるようになっている。
【００４３】
なお、上記実施例においては、バックカバー１２０をフロントカバー１１０に取り付けるようにしているが、フロントカバー１１０をバックカバー１２０に取り付けるようにしても良い。この場合、第１支持部１３５に設けられた嵌合穴１３８の背面が支持レール１３８aを構成する。そして、フロントカバー１１０を図４（ａ）で示した状態から矢印Ａ４方向に移動させ、フロントカバー１１０を支持レール１３８ａを介して矢印Ａ３方向へスライドさせることで、支持レール１３８aの終端部１３８ｂでフロントカバー１１０とバックカバー１２０が取り付けられ、取付ネジ１７０により固定されるようになっている。
【００４４】
つまり、この実施例に係るテレビジョン受像機は、一対の広い面と、この一対の広い面の間に配置される４つの周側面とから構成される本体筐体と、この本体筐体の内部に配置される表示ユニットとを備え、本体筐体が、一対の広い面の一方を備えたフロントカバーと、一対の広い面の他方を備えたバックカバーと、フロントカバーとバックカバーを固定する支持手段とを含んで構成され、支持手段が、フロントカバーに設けられる第１支持部と、バックカバーに設けられる第２支持部と、４つの周側面の１つに設けられる固定部とを含んで構成され、２つの支持部の一方が、広い面に沿って２つの支持部の他方を移動させる支持レールを備え、フロントカバーが、支持レールと直交する方向に配置された一対の周側面を備え、バックカバーが、支持レールと平行な方向に配置された一対の周側面を備え、固定部が、支持レールの終端部でフロントカバーとバックカバーとを固定し、かつ支持レールと直交する方向に配置された一対の周側面の一方に設けられていることを特徴としている。
【００４５】
このような構成とすることにより、２つのカバーの着脱を容易に行うことができ、しかも２つのカバーを本体筐体の底面で固定しているので、本体筐体の背面に固定部を露出させることなく２つのカバーを固定することができる。
【００４６】
このため、例えば、図１５（ｂ）で示すように、専用のスタンド（床置型スタンド３００）を使用してテレビジョン受像機を部屋の中央に配置するような場合でも、背面に取付ネジが露出しないので、背面の意匠性を向上させることができる。
【００４７】
図２に戻り、表示ユニット１３０は、枠状のフレーム１３１と、このフレーム１３１の前面に取り付けられる液晶パネル１３２と、フレーム１３１に取り付けられる基板１３３と、フレーム１３１の背面に設けられたフレーム部材１３４とを含んで構成される。フレーム部材１３４は、フレーム１３１の縦方向（上下方向）に沿って配置された縦長の２本の棒状部材で形成され、このフレーム部材１３４とフレーム１３１でメインフレーム１３６を構成している。
【００４８】
この実施例に係るテレビジョン受像機は、表示ユニット１３０に対して、「コ字状」のバックカバー１２０を、支持手段と固定手段とを介して着脱可能に設けた構成に大きな特徴を有している。このバックカバー１２０の具体的な着脱構造を、図５および図６を参照して説明する。
【００４９】
図５は、バックカバーの取付構造の一例を示す図であり、図５（ａ）がバックカバーを外した状態の背面斜視図およびバックカバーの斜視図、図５（ｂ）および図５（ｃ）が支持手段の構造を示す部分拡大断面図である。図６は、バックカバーの取付構造の一例を示す断面図であり、図６（ａ）がバックカバー取り付け前の部分断面図、図６（ｂ）が支持手段の構造を示す部分拡大断面図、図６（ｃ）がバックカバー取り付け後の部分断面図である。
【００５０】
図５および図６において、支持手段は、メインフレーム１３６に形成された第１支持部１３５と、「コ字状」のバックカバー１２０の裏面に形成された第２支持部１２３とで構成される第１支持手段と、メインフレーム１３６に形成された第３支持部１３９と、「コ字状」のバックカバー１２０の裏面の両側面に形成された第４支持部１２９とで構成される第２支持手段とを備えている。
【００５１】
第１支持部１３５は、メインフレーム１３６の背面に配置された一対のフレーム部材１３４に形成された複数個の嵌合穴で構成され、この複数個の嵌合穴は、縦長に形成された一対のフレーム部材に１３４に沿って縦方向に一列に並んで配置されている。
【００５２】
第２支持部１２３は、先端部が本体筐体１００の底面方向に向けて折れ曲がったＬ字型の外観形状を備えた複数個の引掛部で構成され、この複数個の引掛部は、バックカバー１２０の上下方向（縦方向）に沿って一列に並んで配置されている。
【００５３】
第３支持部１３９は、メインフレーム１３６の背面左端部から左側面および背面右端部から右側面にかけて形成された複数個の嵌合溝で構成され、この複数の嵌合溝は、メインフレーム１３６の左右両端部に沿って縦方向に一列に並んで配置されている。
【００５４】
第４支持部１２９は、バックケース１２０の裏面側に突出して形成された円柱状の複数個の突起部で構成され、この複数個の突起部は、バックカバー１２０の上下方向（縦方向）に沿って一列に並んで配置されている。
【００５５】
次に、バックカバー１２０の着脱について説明する。バックカバー１２０の取り付けは、まず、バックカバー１２０を矢印Ａ１の方向へ移動させることにより、図６（ａ）および図６（ｂ）で示すように、引掛部（第２支持部１２３）が嵌合穴（第１支持部１３５）に挿入される。同時に、図６（ｄ）および図６（ｅ）で示すように、突起部（第４支持部１２９）が嵌合溝（第３支持部１３９）により支持される。
【００５６】
この状態で、バックカバー１２０を本体筐体１００の底面方向へスライドさせることで、引掛部と嵌合穴が接触し、引掛部の背面（第２支持部１２３の背面）を支持レール１２３ａとするスライド面１３７を構成する。そして、支持レール１２３ａとスライド面１３７を介してバックカバー１２０を本体筐体１００の底面方向へ更にスライドさせることで、図６（ｃ）で示すように、「コ字状」のバックカバー１２０の自重を利用して第１支持部１３５と第２支持部１２３が嵌合し、支持レールの終端部１２３ｂで「コ字状」のバックカバー１２０が保持された状態となる。
【００５７】
また、バックカバー１２０を本体筐体１００の底面方向へスライドさせることにより、突起部が嵌合溝に沿って本体筐体１００の底面方向へ移動する。即ち、突起部が嵌合溝の内面をスライド面１３９ａとして本体筐体１００の底面方向へスライドすることにより、図６（ｆ）で示すように、突起部と嵌合溝の底面１３９ｂが接触し、「コ字状」のバックカバー１２０が保持された状態となる。
【００５８】
つまり、この実施例では、図６（ｂ）および図６（ｅ）で示すように、バックカバー１２０を、第１支持部１３５と第２支持部１２３から構成される第１支持手段と、第３支持部１３９と第４支持部１２９から構成される第２支持手段を介して矢印Ａ５方向（斜め下方向）へ移動させることにより、バックカバー１２０がフロントカバー１１０により保持されるようになっている。
【００５９】
さらに、第１支持手段および第２支持手段により「コ字状」のバックカバー１２０が保持されるのと同時に、第１固定部１１６のネジ穴と第２固定部１２６のネジ穴が、本体筐体１００の底面の両端部で重なった状態となる。
【００６０】
この状態で、第１固定部１１６と第２固定部１２６とを、取付ネジ１７０を用いて本体筐体１００の下方からネジ止めすることにより、「コ字状」のフロントカバー１１０と「コ字状」のバックカバー１２０が固定され、本体筐体１００を構成するようになっている。
【００６１】
このように、バックカバー１２０をフロントカバー１１０に対して斜め下方向へスライドさせ、フロントカバー１１０とバックカバー１２０を、本体筐体１００の下方で取付ネジ１７０で締めつけることによって、フロントカバー１１０とバックカバー１２０を上下方向にかしめると同時に、前後方向へかしめることができるので、フロントカバー１１０とバックカバー１２０をしっかりと固定することが可能となる。
【００６２】
一方、「コ字状」のバックカバー１２０の取り外しは、取付ネジ１７０を緩めて第１固定部１１６と第２固定部１２６による固定を解除するとともに、「コ字状」のバックカバー１２０を手で保持し、第１支持手段および第２支持手段とを介して矢印Ａ６方向（斜め上方向）へスライドさせることにより、嵌合穴（第１支持部１３５）と引掛部（第２支持部１２３）との嵌合および嵌合溝（第３支持部１３９）と突起部（第４支持部１２９）との嵌合を解除し、「コ字状」のバックカバー１２０を手前側（矢印Ａ４方向）へ移動させることで、バックカバー１２０がフロントカバー１１０から取り外される。
【００６３】
このような構成とすることにより、フロントカバー１１０とバックカバー１２０との固定を２本の取付ネジ１７０により行うので、フロントカバー１１０とバックカバー１２０の固定および固定解除を容易に行うことができる。しかも、取付ネジ１７０によるバックカバー１２０の固定および固定解除を、本体筐体１００の底面で行うので、本体筐体１００の背面に取付ネジが露出しない取付構造を実現することができる。さらに、バックカバー１２０の形状を、上面および下面を開放した「コ字状」としているので、着脱時にバックカバー１２０を本体筐体１００の上下方向に摺動（スライド）させても、左右両側が開放されたフロントカバー１１０や表示ユニット１３０と干渉することがないので、バックカバー１２０の着脱作業を容易に行うことができる。
【００６４】
図２に戻り、フロントカバー１１０の下面パネル１１３は、その中央に形成された凹部１１７を備え、この凹部１１７の両側に第１固定部１１６が形成されている。下面パネル１１３に形成された凹部１１７は、「コ字状」のフロントカバー１１０と「コ字状」のバックカバー１２０とを組み合わせた状態で、本体筐体１００の底面に空間を形成するようになっている。この空間は、卓上型スタンド２００に形成されたモニタ取付部２２０を本体筐体１００に挿入するための空間であり、この空間を介して挿入されたモニタ取付部２２０が、表示ユニット１３０の底面、即ち、メインフレーム１３６の底面に形成された図示しない取付穴に挿入されることで、本体筐体１００が卓上型スタンド２００に取り付けられるようになっている。
【００６５】
卓上型スタンド２００は、台座部２１０とモニタ取付部２２０と台座部２１０の上面をカバーする台座カバー２３０とを含んで構成される。台座部２１０は、本体筐体の正面および背面に対して平行となるように前後に分割され、前方に配置された第１台座部２１１と後方に配置された第２台座部２１２とを含んで構成される。
【００６６】
第１台座部２１１と第２台座部２１２との間には、本体筐体１００の長手方向（幅方向）に沿って第１溝部２１３が形成されており、この第１溝部２１３は、一対のモニタ取付部２２０を備えている。そして、第１溝部２１３とモニタ取付部２２０とを介して本体筐体１００が卓上型スタンド２００に着脱可能に取り付けられている。
【００６７】
このような構成とすることにより、本体筐体１００が卓上型スタンド２００に取り付けられた状態では、一対の取付部２２０と第１溝部２１３とで本体筐体１００を支持しているので、使用時にモニタ装置が転倒するのを防ぐことができる。
【００６８】
第２台座部２１２は、左右に２分割された一対の台座部、即ち、左台座部２１２ａと右台座部２１２ｂとから構成されている。そして、左台座部２１２ａと右台座部２１２ｂとの間には、本体筐体１００の奥行方向に沿って第２溝部２１４が形成されており、この第２溝部２１４は、本体筐体１００と卓上型スタンド２００が接続された状態において、本体筐体１００と制御装置２０とを接続するケーブル３０や電源ケーブル等の配線を保持する配線保持部となる。
【００６９】
台座カバー２３０は、台座部２１０に対して着脱可能に設けられており、第１台座部２１１の上面をカバーする第１台座カバー２３１と、第２台座部２１２の上面をカバーする第２台座カバー２３２とを含んで構成されている。
【００７０】
このように、台座カバー２３０を着脱可能な構成とすることにより、本体筐体１００の外観デザインに合わせて台座カバー２３０を交換することができるので、多様な外観デザインに対応できるスタンドを実現することができる。しかも、台座カバー２３０を着脱可能としているので、第２溝部２１４にケーブル類を配設する際には第２台座カバー２１２を取り外し、ケーブル類の配設が終了したら第２台座カバー２１２を取り付けるので、ケーブル類の配設作業を容易に行うことができ、かつ第２溝部２１４に配設されたケーブル類を第２台座カバー２１２で隠すことができる。
【００７１】
次に、図７および図８を参照して、この実施例に係るテレビジョン受像機の外観構造を説明する。図７は、テレビジョン受像機の外観図であり、図７（ａ）が正面図、図７（ｂ）が右側面図、図７（ｃ）が背面図、図７（ｄ）が底面図である。図８は、第１実施例に係るテレビジョン受像機の配線構造を示す図であり、図８（ａ）が背面斜視図、図８（ｂ）が台座カバーを取り外した状態の背面斜視図である。
【００７２】
図７において、この実施例に係るテレビジョン受像機は、幅Ｗが１０２１ｍｍ、高さＨが６５０ｍｍ、奥行Ｄが２５ｍｍで構成された薄型の外観形状を有する本体筐体１００と、この本体筐体１００を着脱可能に支持する卓上型スタンド２００（図１参照）とを備えている。本体筐体１００は、正面に表示画面１５０とスピーカ部１６０を備えると共に、背面に設けられた配線部１８０と通気穴１９０とを備えている。
【００７３】
通気穴１９０は、本体筐体１００の長手方向（幅方向）に沿って帯状に形成された外観を備え、この帯状の通気穴１９０が本体筐体１００の背面の上下に配置された形態、即ち、本体筐体１００の背面に配置された一対の帯状の通気穴１９０が配置された構成となっている。
【００７４】
本体筐体１００の底面には、配線部１８０を挟むように形成された一対のスタンド取付穴１８１が設けられている。この一対のスタンド取付穴１８１に、卓上型スタンド２００に設けられた一対のモニタ取付部２２０を挿入することにより、本体筐体１００に卓上型スタンド２００が取り付けられるようになっている。
【００７５】
図８において、配線部１８０は、本体筐体１００の背面下方に配置された帯状の通気穴１９０よりも下方に形成されるとともに、ケーブル類が接続される接続端子部を備えている。この実施例では、配線部１８０に設けられた接続端子部に、ケーブル３０と電源ケーブル１８５が接続されている。そして、本体筐体１００と卓上型スタンド２００が取り付けられた状態では、配線部１８０に接続されたケーブル３０と電源ケーブル１８５が第２溝部２１４（配線保持部）に配線されるとともに、第２台座カバー２３２で第２溝部２１４を覆うようになっている。
【００７６】
次に、図９および図１０を参照して、制御装置の外観構造を説明する。図９は、制御装置を縦置きしたときの外観図であり、図９（ａ）が右前方斜視図、図９（ｂ）が左前方斜視図である。図１０は、制御装置を横置きしたときの外観図であり、図１０（ａ）が斜視図、図１０（ｂ）が開閉扉を開けた状態の斜視図である。
【００７７】
図９において、上述したように、制御装置２０は、制御装置本体２１とこの制御装置本体２１を保持するスタンド２２とから構成される。制御装置本体２１は、「コ字状」に形成された２つのカバーを組み合わせることにより構成された外観形状を備え、２つのカバーの一方が他方に対して着脱可能に設けられている。
【００７８】
この実施例では、制御装置本体２１が、その前面と背面と左側面を形成する「コ字状」の第１カバー２３と、制御装置本体２１の上面と底面と右側面を形成する「コ字状」の第２カバー２４とを組み合わせて構成された外観形状を備え、第２カバー２４が第１カバー２３に対して着脱可能に設けられている。
【００７９】
また、制御装置本体２１は、幅Ｗ１が３５ｍｍ、高さＨ１が２９７ｍｍ、奥行Ｄ１が２１０ｍｍで構成された薄型の外観形状を備え、背面には、ＤＶＤレコーダーやＶＴＲ等の外部機器、ＵＳＢメモリ等の外部記録媒体を接続することができる外部機器接続部（図示省略）と、第２カバー２４の固定／解除を行う取付ネジ（図示省略）が設けられている。
【００８０】
スタンド２２は、制御装置本体２１に対して着脱可能に取り付けられており、スタンド２２を取り外した状態では、図１０で示すように、制御装置本体２１が横置きで設置されるようになっている。
【００８１】
このような構成とすることにより、制御装置本体２１の外観形状をモニタ装置１０の本体筐体１００の外観形状と合わせることができるので、統一感のあるテレビジョン受像機を構成とすることができる。しかも、第２カバー２４を着脱可能としているので、モニタ装置１０と同様、制御装置２０を多様なデザインに対応させることができる。
【００８２】
なお、第２カバー２４の着脱構造は、取付ネジによる固定／解除を制御装置本体２１の背面で行うこと以外、モニタ装置１０の本体筐体１００のフロントカバー１１０とバックカバー１２０の着脱構造と共通しているため、詳細な説明は省略する。
【００８３】
図１０に戻り、制御装置本体２１は、正面に配置された開閉扉２８を備えており、この開閉扉２８を開くことにより、電源ボタン３５や媒体挿入口３６、イジェクトボタン３７が露出するようになっている。また、制御装置本体２１は、録画再生機能を備えており、媒体挿入口３６からハードディスク等の外部記録媒体を挿入し、リモコン４０を操作することにより、外部記憶媒体に映像情報や音声情報を記録したり、記録された映像情報や音声情報の再生を行うことができる。なお、媒体挿入口３６から挿入された外部記録媒体の取り出しは、イジェクトボタン３７の操作により行われる。
【００８４】
制御装置本体２１の正面下方中央には、動作状態を示すランプ部２６が設けられ、制御装置本体２１の両側面には、制御装置本体２１の冷却するための風を吸排気する通気穴２７が設けられている。この通気穴２７は、制御装置本体２１を縦置きした状態では、制御装置本体２７の上下面に位置するようになる。
【００８５】
次に、図１１を参照して、リモコンの外観構造を説明する。図１１は、リモコンの外観図であり、図１１（ａ）が正面図、図１１（ｂ）が斜視図である。
【００８６】
図１１において、リモコン本体４１は、上面に配置された電源ボタン４３と、正面に配置された画像表示部４４と、画像表示部の下方に配置されたスピーカ部４５と、画像表示部４５の左右両側に配置された一対の操作エリア４６とを備えるとともに、内部に電源供給用の電池が設けられている。また、一対の操作エリア４６には、テレビジョン受像機１を操作するための複数の操作ボタンが設けられている。
【００８７】
この実施例では、一対の操作エリア４６を、正面から見て、画像表示部４５の左側に設けられた第１操作エリア４６ａと、画像表示部４５の右側に設けられた第２操作エリア４６ｂとで構成ししている。第１操作エリア４６ａには、視聴チャンネルの選択や音量調整など、テレビジョン受像機として機能させるための複数の操作ボタン４７が集中配置されるとともに、操作ボタン４７の上方にテレビジョン受像機１の電源のオンオフを行う電源ボタン４９が設けられている。第２操作エリア４６ｂには、画面切り替えやメニュー選択など、テレビジョン受像機が有する各種機能を実行するための操作ボタン４８が集中配置されている。なお、複数の操作ボタン４７および４８は、押下式のボタンで構成されている。
【００８８】
また、リモコン本体４１は、「コ字状」に形成された２つのカバーを組み合わせることにより構成された外観形状を備え、２つのカバーの一方が他方に対して着脱可能に設けられている。
【００８９】
この実施例では、リモコン本体４１が、その前面と上面と下面（底面）を形成する「コ字状」のフロントカバー４１０と、リモコン本体４１の背面と左右側面を構成する「コ字状」のバックカバー４２０とを組み合わせた外観形状を備え、バックカバー４２０がフロントカバー４１０に対して着脱可能に設けられている。なお、リモコン本体４１の内部に設けられた電源供給用の電池は、バックカバー４２０を取り外すことにより交換できるようになっている。
【００９０】
リモコン本体４１は、幅Ｗ２が１９８ｍｍ、高さＨ２が１４５ｍｍ、奥行Ｄ２が２０ｍｍで構成された薄型の外観形状を備え、底面にバックカバー４２０の固定／解除を行う取付ネジ（図示省略）が設けられている。
【００９１】
このような構成とすることにより、リモコン本体４１の外観形状を、モニタ装置１０や制御装置２０の外観形状と合わせることができるので、全体として統一感のあるテレビジョン受像機を構成とすることができる。しかも、バックカバー４２０を着脱可能としているので、モニタ装置１０や制御装置２０と同様、多様なデザインに対応させることができる。
【００９２】
なお、バックカバー４２０の着脱構造は、本体筐体１００のバックカバー１２０の着脱構造と共通しているため、詳細な説明は省略する。
【００９３】
次に、リモコンによるテレビジョン受像機の操作について説明する。まず、電源ボタン４３を操作すると、リモコン本体４１の電源がオンの状態となる。この状態で電源ボタン４９を操作すると、待機状態にあるモニタ装置１０の電源がオンとなり、モニタ装置１０の画像表示部１５０に、例えば、モニタ装置１０の電源をオフしたときに視聴していたチャンネルの番組などが表示された状態となる。なお、モニタ装置１０が待機状態にない場合、即ち、モニタ装置１０に設けられた主電源ボタンを操作して、モニタ装置１０の電源をオンの状態とする。
【００９４】
この状態において、リモコン本体４１の第１操作エリア４６ａに設けられた複数の操作ボタン４７あるいは第２操作エリア４６ｂに設けられた複数の操作ボタン４８から任意の操作ボタンを選択して操作することにより、制御装置２０に信号が送信される。制御装置２０は、受信した信号に基づき、操作された操作ボタンに対応する機能を実行するとともに、映像情報および音声情報をモニタ装置１０で再生するようになっている。同時に、リモコン本体４１の画像表示部４４にもモニタ装置１０で再生されている画像情報と音声情報と同じものが表示されるようになっている。また、モニタ装置１０で映像情報や音声情報が再生されている状態で電源ボタン４９を操作すると、モニタ装置１０の電源がオフとなり、待機状態となる。
【００９５】
このような構成とすることにより、リモコン４０を見ながら視聴チャンネルの選択や音量調整、機能選択をユーザーの手元で実行することができるので、操作性を良好にすることができる。
【００９６】
なお、この実施例では、複数の操作ボタン４７および４８を押下式のボタンで構成しているがこれに限定されるものではない。例えば、第１操作エリア４６ａおよび第２操作エリア４６ｂにタッチパネルを配置し、このタッチパネルに複数の操作ボタン４７および４８を表示するようにしてもよい。
【実施例２】
【００９７】
次に、図１２を参照して、本発明に係るテレビジョン受像機の第２実施例を説明する。ここで、図１２は、第２実施例に係るフロントカバーとバックカバーの取付構造を示す概略図であり、図１２（ａ）がカバー組み合わせ前の部分縦断面図、図１２（ｂ）がカバー組み合わせ前の部分横断面図、図１２（ｃ）がカバー組み合わせ後の部分縦断面図、図１２（ｄ）がカバー組み立て後の部分横断面図である。
【００９８】
この第２実施例に係るテレビジョン受像機は、前記第１実施例で説明したフロントカバー１１０とバックカバー１２０とを固定する支持手段の構成を変更したこと以外は、前記第１実施例と略同一であるため、詳細な説明は省略する。
【００９９】
図１２において、フロントカバー１１０は、裏面に設けられた第１支持部１３５を備え、バックカバー１２０は、裏面に設けられた第２支持部１２３を備えている。第１支持部１３５は、先端部が本体筐体１００の上面方向に向けて折れ曲がったＬ字型の外観形状を備えている。第２支持部１２３は、第１支持部１３５が嵌合する嵌合穴１２４を備えており、この嵌合穴１２４に第１支持部１３５を嵌合させることで、バックカバー１２０がフロントカバー１１０に取り付けられるようになっている。
【０１００】
具体的には、図１２（ａ）および図１２（ｂ）で示すように、バックカバー１２０を矢印Ａ１方向に移動させた後、バックカバー１２０を矢印Ａ２方向へスライドさせることで、図１２（ｃ）および図１２（ｄ）で示すように、第１支持部１３５と第２支持部１２３が嵌合穴１２４を介して嵌合し、バックカバー１２０がフロントカバー１１０に取り付けられるようになっている。
【０１０１】
ここで、バックカバー１２０は、第１支持部１３５と第２支持部１２３との接触面、即ち、第１支持部１３５の背面１３５ａと、第２支持部１２３に設けられた嵌合穴１２４の前面が接触することにより、嵌合穴１２４の前面がバックカバー１２０を摺動（スライド）させる支持レール１２４ａを構成する。この支持レール１２４ａに沿ってバックカバー１２０を矢印Ａ２方向へスライドさせることにより、第１支持部１３５と第２支持部１２３とが嵌合し、支持レール１２４ａの終端部１２４ｂでフロントカバー１１０とバックカバー１２０が取り付けられるようになっている。
【０１０２】
そして、バックカバー１２０がフロントカバー１１０に取り付けられた状態で、例えば、本体筐体１００の底面に設けられた固定部、例えば、取付ネジ１７０により、フロントカバー１１０とバックカバー１２０が本体筐体１００の下面（底面）で固定されるようになっている。
【０１０３】
一方、バックカバー１２０を取り外す場合は、取付ネジ１７０を取り外し、バックカバー１２０を支持レール１２４ａを介して矢印Ａ３方向へスライドさせることにより、第１支持部１３５と第２支持部１２３との嵌合を外し、バックカバー１２０を矢印Ａ４方向へ移動させることで、フロントカバー１１０から取り外すことができるようになっている。
【０１０４】
なお、上記実施例においては、バックカバー１２０をフロントカバー１１０に取り付けるようにしているが、フロントカバー１１０をバックカバー１２０に取り付けるようにしても良い。この場合、第１支持部１３５の背面１３５ａが支持レールを構成する。そして、フロントカバー１１０を図１２（ａ）で示した状態から矢印Ａ４方向に移動させた後、フロントカバー１１０を支持レールを介して矢印Ａ３方向へスライドさせることで、支持レールの終端部１３５ｂでフロントカバー１１０とバックカバー１２０が取り付けられ、取付ネジ１７０により固定されるようになっている。
【０１０５】
このような構成とすることにより、前記第１実施例と同様、２つのカバーの着脱を容易に行うことができ、しかも２つのカバーを本体筐体の底面で固定しているので、本体筐体の背面に固定部を露出させることなく２つのカバーを固定することができる。
【実施例３】
【０１０６】
次に、図１３および図１４を参照して、本発明に係るテレビジョン受像機の第３実施例を説明する。ここで、図１３は、第３実施例に係るテレビジョン受像機の外観図であり、図１３（ａ）が斜視図、図１３（ｂ）がスタンドの斜視図である。図１４は、第３実施例に係るテレビジョン受像機の配線構造を示す図であり、図１４（ａ）が背面斜視図、図１４（ｂ）がカバーを取り外した状態の背面斜視図である。なお、前記第１実施例と同一部位や矢印などは同一符号をもって示し、重複した説明を省略する。
【０１０７】
図１３において、この実施例では、前記第１実施例で説明した卓上型スタンド２００を、床置型スタンド３００に変えたほかは、前記第１実施例と略同一である。床置型スタンド３００は、図１３（ｂ）で示すように、支柱部３１０とこの支柱部３１０を支持する台座部３２０とから構成されている。支柱部３１０は、上端部に形成された凹部３１１と、この凹部３１１に配置された一対のモニタ取付部２２０とを備えている。
【０１０８】
この実施例では、一対のモニタ取付部２２０を本体筐体１００の底面から内部に挿入し、表示ユニット１３０の底面、即ち、メインフレーム１３６の底面に形成された図示しない取付穴にモニタ取付部２２０を挿入することにより、図１３（ａ）で示すように、本体筐体１００が床置型スタンド３００に取り付けられるとともに、本体筐体１００の下方が凹部３１１で保持されるようになっている。
【０１０９】
このような構成とすることで、設置面から離れた高い位置でも本体筐体をしっかりと支持することができる。
【０１１０】
図１４において、本体筐体１００は、背面下方に配置された帯状の通気穴１９０よりも下方に配置された配線部１８０（図７（ｂ）参照）を備えており、この配線部１８０にケーブル３０と電源ケーブル１８５が接続されている。
【０１１１】
床置型スタンド３００は、支柱部３１０の背面に形成された縦長帯状の第１配線保持部３１５と、第１配線保持部３１５と連続するように、台座３２３に形成された第２配線保持部３２１とを備えており、本体筐体１００の背面下方で接続されたケーブル類は、第１配線保持部３１５および第２配線保持部３２１を介して配線されるようになっている。
【０１１２】
支柱部３１０は、第１配線保持部３１５をカバーするように設けられた着脱可能な支柱カバー３１６を備えており、第１配線保持部３１５を介して配線されたケーブル類を支柱カバー３１６で覆うようになっている。
【０１１３】
台座部３２０は、台座３２３に形成された第２配線保持部３２１をカバーするように設けられた着脱可能な台座カバー３２２を備えており、第２配線保持部３２１を介して配線されたケーブル類を台座カバー３２２で覆うようになっている。
【０１１４】
次に、配線方法の一例について説明する。図１４において、まず、台座カバー３２２の開口部３２２ａにケーブル類を通す。開口部３２２ａを通されたケーブル類は、第２配線保持部３２１に取り付けられ、同時に台座カバー３２２が台座３２３に取り付けられることで、台座部３２０が構成される。この台座部３２０に支柱部３１０の下端を取り付けるとともに、支柱部３１０の上端にモニタ装置１０を取り付けられ、モニタ装置１０にケーブル類を接続する。モニタ装置１０に接続されたケーブル類を第１配線保持部３１５に取り付け、配線の取り付け完了後に支柱カバー３１６を取り付けることで、配線が完了する。
【０１１５】
即ち、この実施例では、ケーブル等の配線時には支柱カバー３１６および台座カバー３２２を取り外した状態で配線を行い、配線終了後に支柱カバー３１６および台座カバー３２２でケーブル類を覆うように構成することで、配線されたケーブル類が目立たないすっきりとした背面形状とすることができる。しかも、バックカバー１２０の固定を本体筐体１００の底面で行っているので、本体筐体１００の背面には、上下に配置された一対の帯状の通気穴１９０のみ露出しているので、意匠性を向上させることができる。
【０１１６】
このように、第３実施例に係るテレビジョン受像機によれば、前記第１実施例と同様な作用効果を得ることができる。
【符号の説明】
【０１１７】
１…テレビジョン受像機、１０…モニタ装置、２０…制御装置、２１…制御装置本体、２２…スタンド、２３…第１カバー、２４…第２カバー、２６…ランプ部、２７…通気穴、２８…開閉扉、３０…ケーブル、３５…電源ボタン、３６…媒体挿入口、３７…イジェクトボタン、４０…リモートコントローラ、４１…リモートコントローラ本体、４２…スタンド、４３…電源ボタン、４４…画像表示部、４５…スピーカ部、４６…操作エリア、４６ａ…第１操作エリア、４６ｂ…第２操作エリア、４７…操作ボタン、４８…操作ボタン、４９…電源ボタン、１００…本体筐体、１１０…フロントカバー、１１１…フロントパネル、１１２…上面パネル、１１３…下面パネル、１１５…第１嵌合部、１１６…第１固定部、１１７…凹部、１２０…バックカバー、１２１…バックパネル、１２２…一対の側面パネル、１２３…第２支持部、１２３ａ…支持レール、１２３ｂ…終端部、１２４…嵌合穴、１２４ａ…支持レール、１２４ｂ…終端部、１２５…第２嵌合部、１２６…第３固定部、１２９…第４支持部、１３０…表示ユニット、１３１…フレーム、１３２…液晶パネル、１３３…基板、１３４…フレーム部材、１３５…第１支持部、１３６…メインフレーム、１３７…スライド面、１３８…嵌合穴、１３８ａ…支持レール、１３８ｂ…終端部、１３９…第３支持部、１５０…画像表示部、１６０…スピーカ部、１７０…取付ネジ、１８０…配線部、１８１…取付穴、１８５…電源ケーブル、１９０…通気穴、２００…卓上型スタンド、２１０…台座部、２１１…第１台座部、２１２…第２台座部、２１２ａ…左台座部、２１２ｂ…右台座部、２１３…第１溝部、２１４…第２溝部、２２０…モニタ取付部、２３０…台座カバー、２３１…第１台座カバー、２３２…第２台座カバー、３００…床置型スタンド、３１０…支柱部、３１１…凹部、３１５…第１配線保持部、３１６…支柱カバー、３２０…台座部、３２１…第２配線保持部、３２２…台座カバー、３２３…台座、４１０…フロントカバー、４２０…バックカバー。
【図１】
2010233138.tif 000003
【図２】
2010233138.tif 000004
【図３】
2010233138.tif 000005
【図４】
2010233138.tif 000006
【図５】
2010233138.tif 000007
【図６】
2010233138.tif 000008
【図７】
2010233138.tif 000009
【図８】
2010233138.tif 000010
【図９】
2010233138.tif 000011
【図１０】
2010233138.tif 000012
【図１１】
2010233138.tif 000013
【図１２】
2010233138.tif 000014
【図１３】
2010233138.tif 000015
【図１４】
2010233138.tif 000016
【図１５】
2010233138.tif 000017